(57)【要約】【課題】ガスケットが電子機器のスロット部から外れることを抑制できるようにする。【解決手段】電子機器１の本体部２と、板状に形成されると共に、本体部に重ねて配されてスロット部４の内面４ｂを構成するスロット用板部２２と、本体部とスロット用板部との間に挟まれる板状部４１、及び、板状部の第一主面から突出する突起部４２を有するガスケット７と、を備え、突起部は、スロット用板部に形成された貫通孔２３に挿通されてスロット部の内面から突出するガスケットの取付構造を提供する。【選択図】図２
2020072217.tif 000002
【特許請求の範囲】
【請求項１】
ガスケットを電子機器のスロット部に取り付けるガスケットの取付構造であって、
電子機器の本体部と、
板状に形成されると共に、前記本体部に重ねて配されて前記スロット部の内面を構成するスロット用板部と、
前記本体部と前記スロット用板部との間に挟まれる板状部、及び、当該板状部の第一主面から突出する突起部を有するガスケットと、を備え、
前記突起部は、前記スロット用板部に形成された貫通孔に挿通されて前記スロット部の内面から突出するガスケットの取付構造。
【請求項２】
前記突起部が突出する前記スロット部の内面は、前記スロット部に対するオプションモジュールの挿抜方向に延び、
前記板状部は、前記挿抜方向において前記突起部の両側に延びる請求項１に記載のガスケットの取付構造。
【請求項３】
前記板状部の第一主面のうち前記スロット用板部に対向する領域が、前記スロット用板部に接着される請求項１又は請求項２に記載のガスケットの取付構造。
【請求項４】
前記ガスケットは、弾性変形可能な弾性材料からなり、
前記板状部の内部には、前記弾性材料よりも硬い板状の芯材が設けられている請求項１から請求項３のいずれか一項に記載のガスケットの取付構造。
【請求項５】
前記スロット用板部には、前記本体部に対向する前記スロット用板部の対向面から窪む凹部が形成され、
前記板状部は、凹部に収容される請求項１から請求項４のいずれか一項に記載のガスケットの取付構造。
【請求項６】
ガスケットを電子機器のスロット部に取り付けるガスケットの取付方法であって、
板状部、及び、板状部の第一主面から突出する突起部を有するガスケットを用意し、
前記板状部を前記電子機器の本体部と前記スロット部の内面を構成するスロット用板部との間に挟み込むと共に、前記突起部を前記スロット用板部に形成された貫通孔に挿通させて前記スロット部の内面から突出させるガスケットの取付方法。
【発明の詳細な説明】
【技術分野】
【０００１】
本発明は、ガスケットの取付構造、及び、ガスケットの取付方法に関する。
【背景技術】
【０００２】
表示装置等の電子機器には、電子機器の機能拡張を実現するために、機能拡張モジュールなどのオプションモジュールを挿抜自在に装着するスロット部を備えたものがある。オプションモジュールには、電磁波ノイズを輻射するものがある。このため、スロット部に装着されたオプションモジュールは、電子機器のグランドと電気的に接続する必要がある。
特許文献１には、電磁波ノイズを輻射するデジタル回路制御部をシールド板によって覆うと共に、デジタル回路制御部をシールドケースによって包み込むデジタル放送受信装置が開示されている。シールド板には、導電性及び弾性を有するガスケット（導電性クッション）が取り付けられる。ガスケットは、シールド板とシールドケースとの間に挟まれる。これにより、デジタル回路制御部から輻射した電磁波ノイズを、シールド板、ガスケットを介して、グランドに電気的に接続されたシールドケースに逃がすことができる。
【先行技術文献】
【特許文献】
【０００３】
【特許文献１】実用新案登録第３１１３６９１号公報
【発明の概要】
【発明が解決しようとする課題】
【０００４】
電子機器において、スロット部に装着されたオプションモジュールを電子機器のグランドに電気的に接続するためには、例えば特許文献１のガスケットを、スロット部の内面に貼り付け、オプションモジュールとスロット部の内面との間に挟むことが考えられる。しかしながら、ガスケットをスロット部の内面に貼り付けると、オプションモジュールをスロット部に対して挿抜する際に、ガスケットがスロット部の内面から外れる（剥がれる）可能性がある。
【０００５】
この発明は、上述した事情に鑑みてなされたものであって、ガスケットがスロット部から外れることを抑制できるガスケットの取付構造、及び、ガスケットの取付方法を提供することを目的とする。
【課題を解決するための手段】
【０００６】
本発明に係るガスケットの取付構造は、ガスケットを電子機器のスロット部に取り付けるガスケットの取付構造であって、電子機器の本体部と、板状に形成されると共に、前記本体部に重ねて配されて前記スロット部の内面を構成するスロット用板部と、前記本体部と前記スロット用板部との間に挟まれる板状部、及び、当該板状部の第一主面から突出する突起部を有するガスケットと、を備え、前記突起部は、前記スロット用板部に形成された貫通孔に挿通されて前記スロット部の内面から突出することを特徴とする。
【０００７】
本発明に係るガスケットの取付方法は、ガスケットを電子機器のスロット部に取り付けるガスケットの取付方法であって、板状部、及び、板状部の第一主面から突出する突起部を有するガスケットを用意し、前記板状部を前記電子機器の本体部と前記スロット部の内面を構成するスロット用板部との間に挟み込むと共に、前記突起部を前記スロット用板部に形成された貫通孔に挿通させて前記スロット部の内面から突出させることを特徴とする。
【発明の効果】
【０００８】
本発明によれば、ガスケットが電子機器のスロット部から外れることを抑制できる。
【図面の簡単な説明】
【０００９】
【図１】本発明の一実施形態に係るガスケットの取付構造を含む表示装置を示す斜視図である。
【図２】図１の表示装置において、スロット部及びガスケットの取付構造を示す断面図である。
【図３】本発明の一実施形態に係るガスケットの取付構造を構成するコンバータカバー、スロット用板部及びガスケットを模式的に示す分解斜視図である。
【図４】本発明の一実施形態に係るガスケットの取付構造に用いるガスケットの拡大断面図である。
【図５】本発明の一実施形態に係るガスケットの取付構造を示す拡大断面図である。
【図６】本発明の他の実施形態に係るガスケットの取付構造を示す断面図である。
【発明を実施するための形態】
【００１０】
以下、図１〜５を参照して本発明の一実施形態について説明する。
本実施形態に係るガスケットの取付構造は、図１に示す表示装置１に適用される。図１，２に示すように、表示装置１は、表示装置本体（本体部）２と、シャーシベース３と、スロット部４と、を備える。また、表示装置１は、バックカバー５を備える。
【００１１】
表示装置本体２は、主に板状の表示パネル１１によって構成されている。表示パネル１１は、前面に画像を表示する表示面１１ａを有する。表示パネル１１は、例えば液晶ディスプレイパネルや有機ＥＬディスプレイパネル等、任意であってよい。
【００１２】
図２に示すように、表示装置本体２は、コンバータカバー１２を含む。コンバータカバー１２は、ねじ等によって表示パネル１１の背面１１ｂに固定される。コンバータカバー１２は、導電性を有し、表示装置１のグランド（不図示）に電気的に接続される。コンバータカバー１２は、表示パネル１１の背面１１ｂに配されたコンバータ（不図示）を覆う。コンバータカバー１２は、コンバータから輻射される電磁波ノイズを遮蔽する。コンバータカバー１２は、表示パネル１１の背面１１ｂと同じ方向（Ｚ軸正方向）に向く平坦な上面１２ｂを有する。コンバータカバー１２の上面１２ｂは、表示パネル１１の背面１１ｂと共に表示装置本体２の背面２ｂを構成する。
【００１３】
シャーシベース３は、板状に形成されている。シャーシベース３は、表示装置本体２の背面２ｂに重ねて配される。シャーシベース３は、導電性を有し、表示装置１のグランド（不図示）に電気的に接続される。シャーシベース３は、表示装置本体２の背面２ｂの全体又は一部を覆う。シャーシベース３の一部は、コンバータカバー１２の上面１２ｂに重ねて配される。シャーシベース３は、ねじ等によって表示装置本体２に固定される。
【００１４】
スロット部４は、オプションモジュール６を挿抜自在に装着する。オプションモジュール６は、例えば表示装置１の機能を拡張する機能拡張モジュールである。スロット部４は、表示装置本体２の背面２ｂに沿う第一方向（Ｙ軸方向）に開口する。すなわち、オプションモジュール６は、スロット部４に対して第一方向に挿抜される。図１，２における符号４ａは、スロット部４の開口部を示している。
【００１５】
スロット部４は、スロットフレーム２１を含む。スロットフレーム２１は、スロット部４に装着されたオプションモジュール６を支持する。スロットフレーム２１は、前述したシャーシベース３に重ねて配され、ねじ等によってシャーシベース３に固定される。
【００１６】
スロットフレーム２１は、シャーシベース３側に開口するように形成されている。このため、シャーシベース３は、スロットフレーム２１と共にスロット部４の内面４ｂを構成するスロット用板部２２を含む。スロット用板部２２の一部は、コンバータカバー１２の上面１２ｂに重なる。スロット用板部２２からなるスロット部４の内面４ｂは、スロット部４に対するオプションモジュール６の挿抜方向（Ｙ軸方向）に延びている。
【００１７】
図２，３，５に示すように、コンバータカバー１２の上面１２ｂに重なるスロット用板部２２の部位には、その厚さ方向に貫通する貫通孔２３が形成されている。また、コンバータカバー１２の上面１２ｂに重なるスロット用板部２２の部位には、コンバータカバー１２の上面１２ｂに対向するスロット用板部２２の対向面２２ａから窪む凹部２４が形成されている。貫通孔２３は、凹部２４の底面に開口する。
【００１８】
図１，２に示すように、バックカバー５は、表示装置本体２の背面２ｂ側に設けられるシャーシベース３、スロット部４、各種電気部品や回路などを覆って、これらを保護する。各種電気部品には、スロット部４に装着されるオプションモジュール６なども含まれる。バックカバー５は、ねじ等によって表示装置本体２の背面２ｂやシャーシベース３に固定される。バックカバー５には、スロット部４の開口部４ａをバックカバー５の外側に露出させるための露出用孔３１が形成されている。
【００１９】
図２，５に示すように、本実施形態に係るガスケットの取付構造は、前述した表示装置本体２のコンバータカバー１２及びシャーシベース３のスロット用板部２２の他に、スロット部４に取り付けられるガスケット７を備える。ガスケット７は、導電性を有する。また、ガスケット７は、弾性変形可能な弾性材料からなる。弾性材料は、ゴムや弾性を有する合成樹脂材料であってよい。図３に示すように、本実施形態のガスケット７は、一方向（Ｘ軸方向）に延びる帯状に形成されている。
【００２０】
図３，４に示すように、ガスケット７は、板状部４１と、板状部４１の第一主面４１ａから突出する突起部４２と、を有する。板状部４１及び突起部４２は弾性材料によって一体に形成されている。
板状部４１は一方向を長手方向とする帯板状に形成されている。弾性材料からなる板状部４１の内部には、板状の芯材４３が設けられている。芯材４３は弾性材料よりも硬い。このため、板状部４１は、突起部４２よりも弾性変形しにくい。芯材４３は、ポリカーボネートなどの樹脂材料からなる。芯材４３は、例えば導電性を有する金属材料であってもよい。本実施形態において、板状部４１の第一主面４１ａには、両面テープ４４が貼り付けられている。両面テープ４４は、板状部４１をシャーシベース３（スロット用板部２２）に接着するために設けられる。本実施形態の両面テープ４４は、導電性を有し、板状部４１とシャーシベース３とを電気的に接続する。なお、板状部４１とシャーシベース３とを電気的に接続できれば、両面テープ４４が導電性を有する必要はない。
【００２１】
突起部４２は、板状部４１の長手方向に延びている。突起部４２は、板状部４１の幅方向（Ｙ軸方向）において板状部４１の中途部に形成されている。言い換えれば、板状部４１は、その幅方向において突起部４２の両側に延びている。本実施形態において、突起部４２から幅方向に延びる板状部４１の長さは、突起部４２の両側において互いに等しい。すなわち、突起部４２は板状部４１の幅方向の中間に形成されている。
本実施形態において、突起部４２の突出方向の先端部は、板状部４１の長手方向（Ｘ軸方向）から見て半円状に形成されている。
【００２２】
図２，５に示すように、上記したガスケット７の板状部４１は、コンバータカバー１２の上面１２ｂと、スロット用板部２２との間に挟まれる。この状態においては、板状部４１の第一主面４１ａがスロット用板部２２に対向する。また、板状部４１の第二主面４１ｂがコンバータカバー１２の上面１２ｂに対向する。板状部４１は、コンバータカバー１２の上面１２ｂに接触する。これにより、ガスケット７がコンバータカバー１２と電気的に接続される。また、板状部４１は、スロット用板部２２の凹部２４に収容される。さらに、板状部４１の第一主面４１ａのうちスロット用板部２２に対向する領域は、両面テープ４４によってスロット用板部２２に接着される。これにより、板状部４１とシャーシベース３とが電気的に接続される。なお、板状部４１は、例えば接着剤などによってスロット用板部２２に接着されてもよい。
一方、ガスケット７の突起部４２は、スロット用板部２２の貫通孔２３に挿通される。これにより、突起部４２は、スロット用板部２２からなるスロット部４の内面４ｂから突出する。すなわち、突起部４２は、スロット部４内に突出する。
【００２３】
本実施形態において、ガスケット７は、板状部４１の長手方向がスロット部４の内面４ｂに沿ってオプションモジュール６の挿抜方向（Ｙ軸方向）に直交する直交方向（Ｘ軸方向）に向くように配される。すなわち、ガスケット７は、板状部４１の幅方向がオプションモジュール６の挿抜方向に向くように配される。このため、板状部４１は、オプションモジュール６の挿抜方向において突起部４２の両側に延びる。また、突起部４２の突出方向の先端部は、前述の直交方向から見て半円状に形成される。
【００２４】
次に、本実施形態のガスケット７の取付方法の一例について説明する。
ガスケット７をスロット部４に取り付ける際には、はじめに、板状部４１及び突起部４２を有するガスケット７を用意する。その後、ガスケット７をコンバータカバー１２及びスロット用板部２２に取り付ける。この際、ガスケット７の板状部４１をコンバータカバー１２の上面１２ｂとスロット用板部２２との間に挟み込む。また、ガスケット７の突起部４２をスロット用板部２２の貫通孔２３に挿通させてスロット部４の内面４ｂから突出させる。以上により、ガスケット７の取付方法が完了する。
【００２５】
具体的に、ガスケット７を取り付ける際には、はじめに、ガスケット７の板状部４１を接着によってシャーシベース３のスロット用板部２２に貼り付ける。この際、ガスケット７の突起部４２をスロット用板部２２の貫通孔２３に挿通させる。これにより、スロット用板部２２に対するガスケット７の貼り付け位置を決めることができる。また、ガスケット７をスロット用板部２２に取り付けた状態では、板状部４１がスロット用板部２２の凹部２４に収容される。これにより、板状部４１がスロット用板部２２の対向面２２ａから突出することを抑制できる。また、ガスケット７をスロット用板部２２に取り付けた状態では、ガスケット７がスロット用板部２２に電気的に接続される。
【００２６】
ガスケット７をスロット用板部２２に取り付けた後には、スロット用板部２２をコンバータカバー１２の上面１２ｂに配置する。その後、スロット用板部２２を含むシャーシベース３をねじ等によってコンバータカバー１２を含む表示装置本体２に固定する。これにより、板状部４１がコンバータカバー１２の上面１２ｂとスロット用板部２２との間に挟まれる。また、突起部４２がスロット部４の内面４ｂから突出する。なお、スロット用板部２２と共にスロット部４を構成するスロットフレーム２１は、ガスケット７をスロット用板部２２に貼り付ける前又は後、あるいは、シャーシベース３を表示装置本体２に固定した後に、シャーシベース３に固定されてよい。
【００２７】
本実施形態の表示装置１において、オプションモジュール６がスロット部４に装着された状態では、オプションモジュール６とシャーシベース３とが、導電性を有するガスケット７を介して電気的に接続される。すなわち、オプションモジュール６は、表示装置１のグランドに電気的に接続される。これにより、オプションモジュール６において生じる電磁波ノイズを表示装置１のグランドに逃がすことができる。
また、ガスケット７は弾性を有するため、オプションモジュール６がスロット部４に装着された状態では、ガスケット７が自身の弾性力によってオプションモジュール６に押し付けられる。このため、オプションモジュール６とシャーシベース３との電気接続を確保することができる。
【００２８】
以上説明したように、本実施形態に係るガスケットの取付構造及び取付方法によれば、ガスケット７の板状部４１がコンバータカバー１２とスロット用板部２２との間に挟まれる。これにより、ガスケット７がスロット部４から外れることを抑制できる。
具体的に説明すれば、オプションモジュール６をスロット部４に対して挿抜する際には、オプションモジュール６とガスケット７の突起部４２とが擦れ合う。このため、突起部４２にはオプションモジュール６の挿抜方向への力が作用する。ここで、板状部４１はコンバータカバー１２とスロット用板部２２との間に挟まれるため、上記の力がガスケット７に作用しても、板状部４１がコンバータカバー１２とスロット用板部２２との間から抜け出ることを抑制できる。したがって、ガスケット７がスロット部４から外れることを抑制できる。
【００２９】
さらに、ガスケット７がスロット部４から外れることを抑制できることで、導電性を有するガスケット７が表示装置１内の他の回路に接触する不具合が生じることも抑制することができる。
また、ガスケット７の板状部４１をコンバータカバー１２とスロット用板部２２との間に挟み込む構成では、ガスケット７をねじ止めによってスロット部４の内面４ｂに固定する場合と比較して、表示装置１におけるスロット部４用のスペースを削減できる。したがって、表示装置１の小型化、薄型化を図ることができる。
【００３０】
また、本実施形態のガスケットの取付構造によれば、板状部４１が、オプションモジュール６の挿抜方向において突起部４２の両側に延びている。すなわち、板状部４１は、オプションモジュール６の挿抜方向における突起部４２の両側において、コンバータカバー１２とスロット用板部２２との間に挟まれる。このため、スロット部４に対するオプションモジュール６の挿抜の際に、突起部４２に対して、オプションモジュール６を挿入する方向（Ｙ軸正方向）及び抜き出す方向（Ｙ軸負方向）のいずれの方向への力が作用しても、板状部４１がコンバータカバー１２とスロット用板部２２との間から抜け出ることを好適に抑制できる。
【００３１】
また、本実施形態のガスケットの取付構造によれば、板状部４１の第一主面４１ａのうちスロット用板部２２に対向する領域が、スロット用板部２２に接着される。このため、突起部４２にオプションモジュール６の挿抜方向への力が作用し、当該力が板状部４１に伝わっても、板状部４１がスロット用板部２２に対して位置ずれすることを抑制できる。すなわち、コンバータカバー１２やスロット用板部２２に対するガスケット７の位置ずれを抑制できる。
【００３２】
また、本実施形態のガスケットの取付構造によれば、弾性材料からなる板状部４１の内部に、弾性材料よりも硬い板状の芯材４３が設けられている。このため、スロット部４に対するオプションモジュール６の挿抜に伴って突起部４２が弾性変形しても、板状部４１が弾性変形することを抑制できる。これにより、板状部４１がコンバータカバー１２とスロット用板部２２との間から抜け出ることを確実に防止できる。すなわち、ガスケット７がスロット部４から外れることを防止できる。
【００３３】
また、本実施形態のガスケットの取付構造によれば、板状部４１がスロット用板部２２の対向面２２ａから窪む凹部２４に収容される。このため、板状部４１がスロット用板部２２の対向面２２ａから突出することを抑制できる。これにより、スロット用板部２２の対向面２２ａをコンバータカバー１２の上面１２ｂに面接触させることができる。すなわち、スロット用板部２２をコンバータカバー１２上に安定に配置することができる。
【００３４】
以上、本発明に係るガスケットの取付構造及び取付方法の一実施形態について説明したが、本発明は上記の実施形態に限定されるものではなく、その趣旨を逸脱しない範囲において適宜変更可能である。
【００３５】
本発明は、表示装置に限らず、スロット部を備える任意の電子機器に適用可能である。
【００３６】
本発明のガスケットの取付構造は、図６に例示するように、少なくとも電子機器１Ｃの本体部２Ｃ、スロット用板部２２Ｃ、及び、ガスケット７Ｃを備えればよい。本体部２Ｃは、電子機器１Ｃのグランドに電気的に接続されればよい。スロット用板部２２Ｃは、電子機器１Ｃのスロット部４Ｃの内面４Ｃｂを構成する板状に形成されればよい。また、スロット用板部２２Ｃは、本体部２Ｃに重ねて配されればよい。ガスケット７Ｃは、板状部４１Ｃ及び突起部４２Ｃを有していればよい。板状部４１Ｃは、本体部２Ｃとスロット用板部２２Ｃとの間に挟まれればよい。突起部４２Ｃは、板状部４１Ｃの第一主面４１Ｃａから突出していればよい。また、突起部４２Ｃは、スロット用板部２２Ｃに形成された貫通孔２３Ｃに挿通されて、スロット部４Ｃの内面４Ｃｂから突出していればよい。
【００３７】
また、本発明のガスケットの取付方法では、少なくとも上記したガスケット７Ｃの板状部４１Ｃを本体部２Ｃとスロット用板部２２Ｃの間に挟み込めばよい。また、突起部４２Ｃをスロット用板部２２Ｃの貫通孔２３Ｃに挿通させてスロット部４Ｃの内面４Ｃｂから突出させればよい。
【００３８】
本発明において、ガスケットの板状部は、例えばオプションモジュールの挿抜方向において突起部の片側にのみ延びてもよい。例えば図６に示すように、板状部４１Ｃは、突起部４２Ｃに対してオプションモジュールを抜き出す方向（図６において左方向）に延びてもよい。また、板状部４１Ｃは、例えば突起部４２Ｃに対してオプションモジュールを挿入する方向（図６において右方向）に延びてもよい。また、板状部４１Ｃは、例えば、突起部４２Ｃに対してオプションモジュールの挿抜方向（図６において左右方向）に交差する方向に延びてもよい。
【００３９】
本発明において、ガスケットの板状部と突起部とは、例えば別個に形成され、互いに固定されてもよい。この場合、板状部は、例えば弾性変形しない又はしにくい板材によって形成されてよい。また、突起部は、ゴムや弾性を有する合成樹脂材料によって形成されてもよいし、例えば金属製の板ばねなどであってもよい。
【符号の説明】
【００４０】
１  表示装置（電子機器）
１Ｃ  電子機器
２  表示装置本体（本体部）
２Ｃ  本体部
３  シャーシベース
４，４Ｃ  スロット部
４ｂ、４Ｃｂ  内面
５  バックカバー
６  オプションモジュール
７，７Ｃ  ガスケット
１１  表示パネル
１２  コンバータカバー
２２，２２Ｃ  スロット用板部
２２ａ  対向面
２３，２３Ｃ  貫通孔
２４  凹部
４１，４１Ｃ  板状部
４１ａ，４１Ｃａ  第一主面
４２，４２Ｃ  突起部
４３  芯材
４４  両面テープ
【図１】
2020072217.tif 000003
【図２】
2020072217.tif 000004
【図３】
2020072217.tif 000005
【図４】
2020072217.tif 000006
【図５】
2020072217.tif 000007
【図６】
2020072217.tif 000008